(57)【要約】 【課題】転倒スイッチが作動不良を起こしても電源を確実に遮断し、安全性を向上することが出来る電気ストーブを提供する。【解決手段】ヒータ２と、該ヒータ２の前面を覆うガード５が取り付けられる前面パネル６と、該前面パネル６と係合する背面パネル７と、係合した前面パネル６と背面パネル７の上部に取り付けられる操作部本体８からなる本体ケース部３と、該本体ケース部３を支持すると共に、少なくとも前面側は前面パネル６より前方に突出する形状としたベース部４とから構成したもので、前記前面パネル６と背面パネル７との間には、器具転倒時に所定温度以上の雰囲気温度を検知して電源を遮断する温度検知手段２７を備えたことにより、器具転倒時の第二の安全装置として作用し、床面の焼損や可燃物への引火を確実に防止することが出来、二重の安全装置により極めて安全であり、常に安心して使用出来るものである。【選択図】図５
2011033309.tif 000002
【特許請求の範囲】
【請求項１】
ヒータと、該ヒータの前面を覆うガードが取り付けられる前面パネルと、該前面パネルと係合する背面パネルと、係合した前面パネルと背面パネルの上部に取り付けられる操作部本体からなる本体ケース部と、該本体ケース部を支持すると共に、少なくとも前面側は前面パネルより前方に突出する形状としたベース部とから構成したものに於いて、前記前面パネルと背面パネルとの間には、器具転倒時に所定温度以上の雰囲気温度を検知して電源を遮断する温度検知手段を備えた事を特徴とする電気ストーブ。
【請求項２】
前記温度検知手段は、室温を検知して加熱能力を可変する室温センサを兼用している事を特徴とする請求項１記載の電気ストーブ。
【発明の詳細な説明】
【技術分野】
【０００１】
この発明は、器具の転倒時に安全のために電源を遮断する転倒スイッチが故障した場合でも、確実に電源を遮断して安全を確保することが出来る電気ストーブに関するものである。
【背景技術】
【０００２】
従来よりこの種のものでは、器具が転倒しヒータの発熱部が床を向くことで、該床面が加熱されて床面が焦げて焼損したり、或いは可燃物に引火して火災の原因になると言う問題点を解決するために、器具に転倒スイッチを付けて、器具が転倒したり、ある程度傾斜することで、運転スイッチに関係なく器具の電源を遮断して、床面の焼損や可燃物への引火を防止するものであった。（特許文献１参照）
【先行技術文献】
【特許文献】
【０００３】
【特許文献１】特開昭６１−６２７３０号公報
【発明の概要】
【発明が解決しようとする課題】
【０００４】
ところでこの従来のものでは、常時作動せず器具の異常時のみ作動する転倒スイッチであるので、大事な時に作動しない危険があり、万一器具が転倒しても転倒スイッチが作動不良や故障で作動しない時は、やはり床面が焼損したり火災の原因に危険を有するものであった。
【課題を解決するための手段】
【０００５】
この発明はこの点に着目し上記課題を解決する為、特にその構成を請求項１では、ヒータと、該ヒータの前面を覆うガードが取り付けられる前面パネルと、該前面パネルと係合する背面パネルと、係合した前面パネルと背面パネルの上部に取り付けられる操作部本体からなる本体ケース部と、該本体ケース部を支持すると共に、少なくとも前面側は前面パネルより前方に突出する形状としたベース部とから構成したものに於いて、前記前面パネルと背面パネルとの間には、器具転倒時に所定温度以上の雰囲気温度を検知して電源を遮断する温度検知手段を備えたものである。
【０００６】
又請求項２では、前記温度検知手段は、室温を検知して加熱能力を可変する室温センサを兼用しているものである。
【発明の効果】
【０００７】
以上のようにこの発明によれば、万一転倒スイッチが作動しなかった場合で、ヒータの発熱部が床面と対峙した状態では、温度検知手段が備えられている前面パネルと背面パネルとの間が一番高い位置となるように、器具上部を下方にして傾斜した転倒状態となるので、転倒した器具内外の熱が温度検知手段に集中することにより、瞬時に温度検知手段が所定温度以上を検知して器具の電源を遮断し、器具転倒時の第二の安全装置として作用し、床面の焼損や可燃物への引火を確実に防止することが出来、二重の安全装置により極めて安全であり、常に安心して使用出来るものである。
【０００８】
又請求項２では、温度検知手段を通常時には、室温に応じて加熱能力を可変する室温センサとして使用するので、器具転倒時の第二の安全装置として特別に温度検知手段を設ける必要がなく、無駄がなく経済的であると共に、安全性を確実に向上させることが出来るものである。
【図面の簡単な説明】
【０００９】
【図１】この発明の一実施例を付した電気ストーブを示す斜視図。
【図２】同側面図。
【図３】同部品構成図。
【図４】同前面パネル内を示す説明図。
【図５】同電気ストーブの転倒状態を示す説明図。
【図６】同電気回路のブロック図。
【図７】同要部のフローチャート。
【発明を実施するための形態】
【００１０】
次にこの発明に係る発明の一実施形態を図面に基づいて説明する。
１は平面視楕円形で円筒型の通常タワー型と言われる電気ストーブで、１本のヒータ２を備えた円筒型の本体ケース部３と、該本体ケース部３より大径で本体ケース部３底部で安定した倒立状態を保持するベース部４とからなり、前記本体ケース部３は、ヒータ２を備え該ヒータ２の前面を覆うガード５が取り付けられる前面パネル６と、該前面パネル６と係合する背面パネル７と、係合した前面パネル６と背面パネル７の上部に取り付けられる操作部本体８からなるものである。
【００１１】
前記ヒータ２は、ステンレスシーズヒータ管にブラックセラミックコーティングが施されており、多量の３〜２０ミクロンの遠赤外線を放射して身体のしんから暖めるものであり、しかも衝撃に強く、抜群の耐久性を有し、熱を反射する反射板９及びガード５と共に発熱部１０を構成するものである。
【００１２】
前記操作部本体８には、正面上部に暖房能力を表示する表示部１１を設けると共に、上面には操作部１２を設け、該操作部１２は暖房運転のオンオフ及び暖房能力を設定する回転式の運転つまみ１３と、暖房能力をある幅で高低させるゆらぎ運転スイッチ１４と、３０分から１〜３時間まで運転時間を設定できる切りタイマースイッチ１５と、本体ケース部３を首振り運転させる首振りスイッチ１６を有するものである。
【００１３】
又前記操作部本体８内には、表示部１１を制御する表示部基板１７や操作部１２の制御や各種モード制御するマイコンを有する操作部基板１８が取り付けられた操作部補強板１９が取り付けられており、該操作部補強板１９と背面パネル７上部との境には遮熱板２０が設けられているものである。
【００１４】
前記操作部基板１８には、ボール（図示せず）と接点を有する容器からなる転倒スイッチ２１が固定され、電気ストーブ１がどの方向でも４５℃以上傾斜すると転倒すると判断して電源を遮断して安全を確保するものである。
【００１５】
前記前面パネル６と背面パネル７で囲われた本体ケース部３内の下部には、ベース部４にネジにて固定され、本体ケース部３が首振り動作する際の首振り軸２２の一端を回転自在に支持する首振り軸支え２３がベース部４にネジにて固定され、首振り軸支え２３には本体ケース部３が載置され該本体ケース部３を首振り動作させるリンク部２４と、該リンク部２４を動作させる首振モータ２５が取り付けられたモータ取り付け台２６が回動自在に取り付けられているものである。
【００１６】
前記前面パネル６と背面パネル７で囲われた本体ケース部３内の下部には更に、温度検知手段２７が備えられており、この温度検知手段２７は倒立状態の通常時には、室温を検知しこの室温が１０℃未満では通常３４０Ｗ〜９００Ｗの出力を１７０Ｗ〜６８０Ｗに低下させ、又室温が１０℃〜２０℃未満では１２０Ｗ〜６３０Ｗに低下させ、又室温が２０℃以上では１２０Ｗ〜５２０Ｗに低下させる省エネモードの運転時の室温センサも兼用するものであり、そして器具である電気ストーブ１が通電状態で発熱部１０を床面２８側として転倒した場合で、転倒スイッチ２１が故障などの作動不良を起こした時には、大径のベース部４が本体ケース部３の少なくとも正面は突出しているので、本体ケース部３はベース部４に向かって登り傾斜した状態となっているから、発熱部１０よりの熱気は、温度検知手段２７が備えられている前面パネル６と背面パネル７で囲われた本体ケース部３の下部に集中し、又背面パネル７内方の熱も登り傾斜に沿って前面パネル６側に流通することで、温度検知手段２７が瞬時に所定温度ここでは５０℃以上を検知して、器具である電気ストーブ１の電源を遮断するものである。
【００１７】
２９は略箱状の基板ホルダで、首振モータ２５の上部に位置するように背面パネル７の下部に固定され、メイン基板３０が収納される基板収納部３１と、該基板収納部３１の上部に電源コード３２が案内されるコード差し込み部３３からなり、前記コード差し込み部３３は、奥から正面に向かって下り勾配となっている上部差し込み部３４と、正面の手前部分が下方向にテーパー状に形成された下部差し込み部３５と、前記上部差し込み部３３と下部差し込み部３５との間に設けられ、正面よりも奥側に電源コード３２が差し込まれる横長穴状の差し込み口３６より構成されているものである。
【００１８】
前記首振り軸支え２３は有底円筒状で、側面には電源コード３２と係合する電源コード係合部３７が形成され、上面には首振り軸２２の一端が差し込まれる首振り軸受け部３８と、リンク部２４のラチェットピン３９が差し込まれるラチェットピン受け部４０と、前記電源コード係合部３７で係合した電源コード３２が、首振り軸支え２３を通って本体ケース部３の正面側から立ち上がって首振り軸支え２３から上方に突出し、その上方に突出する電源コード３２を支持する電源コード支持部４１が形成されているものである。
【００１９】
前記電源コード３２は、首振り軸支え２３の背面側から首振り軸支え２３内に入って、首振り軸支え２３の正面側上面に突出して形成されている電源コード支持部４１から上方に突出するが、その突出位置は本体ケース部３の幅の中心と同じであり、そこから首振り軸支え２３の上方に位置する基板ホルダ２９の差し込み口３６に差し込まれ、更に差し込み口３６を貫通して基板ホルダ２９の反対側に出た電源コード３２の先端は、基板ホルダ２９内のメイン基板３０で本体ケース部３が首振り運転した時の回転中心近傍にあるコネクタに接続されているものである。
【００２０】
次にこの一実施形態の作動について説明する。
今電気ストーブ１が通常運転状態で転倒した場合を図７に示すフローチャートで説明すると、ステップ４２で運転つまみ１３が操作され電源がＯＮされると、ＹＥＳでステップ４３に進み電気ストーブ１のヒータ２に通電され、このヒータ２の遠赤外線が直接及び反射板９を介して間接的に放射されて暖房が行われるものである。
【００２１】
更にステップ４４に進み転倒スイッチ２１が作動したかを常時判断し、ＹＥＳではステップ４５に進み電源を遮断して電気ストーブ１の運転を停止して安全を図るものであり、そしてＮＯで電気ストーブ１が転倒せずに倒立状態を維持している場合や、転倒しているが転倒スイッチ２１が故障等で作動しない場合で、ステップ４６に進み発熱部１０が床面２８側を向いて転倒している時は、温度検知手段２７が傾斜した本体ケース部３によって熱気の集中を受け、瞬時約１分４０秒後に５０℃以上を検知し、ＹＥＳでステップ４７に進んで電気ストーブ１の電源を遮断する。
【００２２】
これにより万一転倒スイッチ２１が作動不良を起こしても、温度検知手段２７が熱気の集中を受けて、電気ストーブ１の電源を遮断することが出来るので、床面２８の焼損や火災の原因になることはなく、二重の安全装置で安心して使用出来るものであり、又最終的には温度の異常上昇を直接検知して電源を遮断するので、極めて確実であり誤動作の心配もないものである。
【００２３】
尚、電気ストーブ１が発熱部１０を床面２８に向けずに転倒した場合は、熱が床面２８に集中することがなく、床面２８の焼損や引火の心配がなく、しかも前面パネル６内も温度上昇せず温度検知手段２７が所定温度以上を検知することもなく、運転スイッチ１４のＯＦＦ操作による手動で発熱は停止されるが、万一発熱部１０にカーテンやタオルがかかったような時には、発熱部１０から放熱される熱気がこもることで前面パネル６内も温度上昇し、これによって温度検知手段２７が所定温度以上を検知して、上記と同様に電源を遮断して安全を確保するものである。
【００２４】
次に温度検知手段２７は、室温を検知して加熱能力を可変する室温センサを兼用しているので、省エネモードの運転状態では、ステップ４６でＮＯの時は電気ストーブ１が正常状態で発熱しているので、ステップ４８に進み現在室温として前面パネル６内の雰囲気温度を温度検知手段２７が検知して、この検知温度が１０℃未満を検知している状態では、ＹＥＳでステップ４９に進んでヒータ２の出力を通常３４０Ｗ〜９００Ｗを１７０Ｗ〜６８０Ｗに低下させるものであり、ステップ４８でＮＯの場合には、ステップ５０に進みこの温度検知手段２７の検知温度が１０℃〜２０℃未満かを判断し、ＹＥＳではステップ５１に進んでヒータ２の出力を１２０Ｗ〜６３０Ｗに低下させるもので、更にＮＯではステップ５２に進み温度検知手段２７の検知温度が２０℃以上かを判断し、ＹＥＳではステップ５３に進んでヒータ２の出力を１２０Ｗ〜５２０Ｗに低下させるもので、そしてＮＯではステップ４６に戻るものである。
【００２５】
このようにその時の室温に応じて、ヒータ２の出力をカットするもので、しかも室温が低い間はカット幅を小さくして、省エネではあるがそれ程寒さを感じない程度とし、室温が高い時には、カット幅を大きくして、すでに十分に室温が高い状態では、暖かさより省エネを優先させて出来るだけ省エネを推進しようとする使用者の使用勝手を良くしたもので、更に温度検知手段をこの室温センサと兼用したことで、器具転倒時の第二の安全装置として特別に温度検知手段を設ける必要がなく、無駄がなく経済的であると共に、安全性を確実に向上させることが出来るものである。
【符号の説明】
【００２６】
２  ヒータ
３  本体ケース部
４  ベース部
５  ガード
６  前面パネル
７  背面パネル
２７  温度検知手段
２８  床面
【図１】
2011033309.tif 000003
【図２】
2011033309.tif 000004
【図３】
2011033309.tif 000005
【図４】
2011033309.tif 000006
【図５】
2011033309.tif 000007
【図６】
2011033309.tif 000008
【図７】
2011033309.tif 000009